(57)【要約】【課題】挿入物を容易かつ円滑に挿入することができるホルダーを得る。【解決手段】表面側シート１２と背面側シート１４とを有し、少なくとも１辺が開放されて開放辺とされ、表面側シート１２と背面側シート１４との間に挿入物が挿入されるホルダー１０であって、表面側シート１２と背面側シート１４とを離間維持させる離間手段３２Ａ、３２Ｂを設けた構成とした。【選択図】      図１
2005022337.tif 000002
【特許請求の範囲】
【請求項１】
表面側シートと背面側シートとを有し、少なくとも１辺が開放されて開放辺とされ、前記表面側シートと前記背面側シートとの間に挿入物が挿入されるホルダーであって、
前記表面側シートと前記背面側シートとを離間維持させる離間手段を設けたことを特徴とするホルダー。
【請求項２】
前記離間手段は、前記表面側シート又は前記背面側シートの少なくとも一方に設けられ、前記表面側シート又は前記背面側シートの他方と接触する単数又は複数の突起部であることを特徴とする請求項１に記載のホルダー。
【請求項３】
前記突起部は、隣接する２辺が開放辺とされ、その開放辺近傍に設けられていることを特徴とする請求項２に記載のホルダー。
【請求項４】
前記表面側シート又は前記背面側シートのいずれか一方であって前記開放辺には、切欠きが形成されていることを特徴とする請求項１乃至３のいずれか１項に記載のホルダー。
【請求項５】
前記突起部は、前記切欠きの近傍に設けられていることを特徴とする請求項４に記載のホルダー。
【請求項６】
前記突起部の表面が曲面状に形成されていることを特徴とする請求項２乃至５のいずれか１項に記載のホルダー。
【発明の詳細な説明】
【０００１】
【発明の属する技術分野】
本発明は、書類等を挟むホルダーに関する。
【０００２】
【従来の技術】
図６に示すように、従来のホルダー１００は、１枚のシートを折り曲げて表面側シート１０２と背面側シート１０４とを重ね合わせ、この折曲部１０６に隣接する２辺を溶着等によりシール部１０８、１１０を形成し、残りの１辺を開放辺として書類の挿入口とし、さらにシール部１０８、１１０の一部に切欠き部１１２が設けられている。
【０００３】
このホルダー１００によれば、切欠き部１１２を設けることにより書類の出し入れを容易に行うことができ、また２辺をシール部１０８、１１０とすることにより簡素な構造で書類の収納が確実となり書類の不用意な脱落を防止することができる。
【０００４】
【特許文献１】
特開２０００−１５９７２号公報
【特許文献２】
特開２００１−２３２９８１号公報
【特許文献３】
特開平１１−２８８８６号公報
【発明が解決しようとする課題】
ところで、上記ホルダーでは、表面側シートと背面側シートとが常時接触しているため、切欠き部を設けた場合でも、必ず片手でホルダーを保持しながら他方の手で表面側シートと背面側シートとを開かなければならず、表面側シートと背面側シートとの間に容易かつ円滑に書類を挿入することが依然困難であった。
特に、表面側シートと背面側シートを樹脂等により成形した場合、静電気等により両者が密着する場合があり、この場合には書類の出し入れが特に困難となる。
また、比較的厚めの書類を挿入するときには、表面側シートと背面側シートとを大きく開かなければならず、逆に表面側シートと背面側シートとを大きく開くと、表面側シート又は背面側シートに折り目が付いてしまい、ホルダーの美観上及び機能上好ましくなかった。
【０００５】
そこで、本発明は、上記事情に鑑みて成されたものであり、挿入物を容易かつ円滑に挿入することができるホルダーを提供することを目的とする。
【０００６】
【課題を解決するための手段】
本発明は、上記課題を解決するため、以下の手段を採用する。
請求項１に記載の発明は、表面側シートと背面側シートとを有し、少なくとも１辺が開放されて開放辺とされ、前記表面側シートと前記背面側シートとの間に挿入物が挿入されるホルダーであって、前記表面側シートと前記背面側シートとを離間維持させる離間手段を設けたことを特徴とする。
【０００７】
通常のホルダーでは、表面側シートと背面側シートとの間に挿入物を入れるときには、片手でホルダーを持ちながら表面側シートと背面側シートとの間を開ける動作が必ず必要となり、特に挿入物が厚くなるとこれらの２つの動作を同時に行うことが困難となる場合があるが、請求項１に記載のホルダーによれば、離間手段により表面側シートと背面側シートとが初めから離間維持されているため、表面側シートと背面側シートとの間を開ける作業が不要となる。これにより、挿入物を挿入するときには、ホルダーを持つだけの１つの作業で足りる。この結果、表面側シートと背面側シートとの間に挿入物を挿入し易くすることができる。また、離間手段を設けているため、表面側シートと背面側シートとの間を開けるために表面側シート又は背面側シートをめくる作業が必要ないため、表面側シートあるいは背面側シートに折り目等の傷が付くことを防止できる。
【０００８】
請求項２に記載の発明は、請求項１に記載のホルダーにおいて、前記離間手段は、前記表面側シート又は前記背面側シートの少なくとも一方に設けられ、前記表面側シート又は前記背面側シートの他方と接触する単数又は複数の突起部であることを特徴とする。
【０００９】
請求項２に記載の発明によれば、ホルダーの表面側シート又は背面側シートの少なくとも一方に設けられた突起部が、表面側シート又は背面側シートの他方と接触することにより、表面側シートと背面側シートとの間を離間維持させることができる。これにより、挿入物を挿入するときに、表面側シートと背面側シートとの間を開ける作業が不要となり、挿入物を挿入するときには、ホルダーを持つだけの１つの作業で足りる。この結果、表面側シートと背面側シートとの間に挿入物を挿入し易くすることができる。また、表面側シートと背面側シートとの間を開けるために表面側シート又は背面側シートをめくることがないため、表面側シートあるいは背面側シートに折り目等の傷が付くことを防止できる。
【００１０】
請求項３に記載の発明は、請求項２に記載のホルダーにおいて、前記突起部は、隣接する２辺が開放辺とされ、その開放辺近傍に設けられていることを特徴とする。
【００１１】
請求項３に記載の発明によれば、ホルダーの隣接する２辺が開放辺とされており、突起部はその開放辺近傍に設けられているため、この突起部を挿入物の挿入時の目印として利用することができる。これにより、挿入物を挿入するときに、挿入物を挿入させる入口を瞬時に判別することができ、さらに容易に挿入物を挿入することができる。
【００１２】
請求項４に記載の発明は、請求項１乃至３のいずれか１項に記載のホルダーにおいて、前記表面側シート又は前記背面側シートのいずれか一方であって前記開放辺には、切欠きが形成されていることを特徴とする。
【００１３】
請求項４に記載の発明によれば、表面側シート又は背面側シートのいずれか一方であって開放辺には切欠きが形成されているため、この切欠きの分だけ切欠きが形成されていない表面側シート又は背面側シートのいずれか一方の内側の一部が他方に対して露出している構成になっている。これにより、挿入物を挿入するときに、切欠きが形成されていない表面側シート又は背面側シートのいずれか一方に挿入物の一部を載せてそのままスライドさせることにより表面側シートと背面側シートとの間に挿入物を容易かつ円滑に挿入することができる。
特に、切欠きを角部に形成することにより、切欠きが形成されていない表面側シート又は背面側シートのいずれか他方に挿入物を載せ易くすることができ、さらに容易に挿入物を挿入することができる。
【００１４】
請求項５に記載の発明は、請求項４に記載のホルダーにおいて、前記突起部は、前記切欠きの近傍に設けられていることを特徴とする。
【００１５】
請求項５に記載の発明によれば、突起部が切欠きの近傍に設けられているため、特に切欠き近傍が大きく離間維持されている。このため、さらに容易かつ円滑に挿入物を挿入することができる。また、突起部が切欠きの近傍に設けられているため、この突起部を挿入物の挿入時の目印として利用することもできる。これにより、切欠きの位置を瞬時に判別することができ、さらに容易に挿入物を挿入することができる。
【００１６】
請求項６に記載の発明は、請求項２乃至５のいずれか１項に記載のホルダーにおいて、前記突起部の表面が曲面状に形成されていることを特徴とする。
【００１７】
請求項６に記載の発明によれば、突起部の表面が曲面状に形成されているため、挿入物の端部が突起部の表面に接触した場合に、挿入物の端部が突起部の表面を滑らかに滑ることになる。これにより、挿入物をさらに滑らかに挿入させることができる。
【００１８】
【発明の実施の形態】
次に、本発明の実施形態のホルダーについて、図面を参照して説明する。
【００１９】
図１及び図２に示すように、本実施形態のホルダー１０は、１枚のシートが折り曲げられて表面側シート１２と背面側シート１４とが形成されている。この表面側シート１２と背面側シート１４とは重ね合わせられ、表面側シート１２の折曲部１６に隣接する下端部側辺１８と背面側シート１４の折曲部１６に隣接する下端部側辺２０とがそれぞれ溶着されて閉じられている。また、表面側シート１２の折曲部１６に隣接する上端部側辺２２と背面側シート１４の折曲部１６に隣接する上端部側辺２４とは溶着されておらず開放された状態となっており、また、表面側シート１２の折曲部１６に対向する対向辺２６と背面側シート１４の折曲部１６に対向する対向辺２８とも同様に溶着されておらず開放された状態となっている。
【００２０】
また、表面側シート１２の上端部側辺２２と対向辺２６とで形成される角部には、切欠き２９が形成されている。本実施形態においては、切欠き２９の形状は、ホルダー１０の平面視において湾曲状となっている。なお、切欠き２９の形状は、湾曲状に限られることはなく、例えば直線形状など適宜変更できる。
【００２１】
ここで、表面側シート１２の内側表面であって切欠き２９の近傍には、２つの突起部（離間手段）３２Ａ、３２Ｂが形成されている。各突起部３２Ａ、３２Ｂは所定の距離だけ離間して形成されている。各突起部３２Ａ、３２Ｂは背面側シート１４の内側表面と接触しており、各突起部３２Ａ、３２Ｂが背面側シート１４の内側表面と接触することにより、表面側シート１２と背面側シート１４とが離間維持された状態となっている。このため、表面側シート１２と背面側シート１４との間には、隙間が形成されている。
【００２２】
また、図２に示すように、表面側シート１２の内側表面に形成された各突起部３２Ａ、３２Ｂが背面側シート１４の内側表面と接触することにより、表面側シート１２が背面側シート１４に対して傾斜しており、突起部３２Ａ、３２Ｂを基準として切欠き２９が形成された切欠き端３０側（図１中矢印Ａ方向側）とその反対側（図１中矢印Ｂ方向側）とにおいて表面側シート１２の傾斜角度が略一定となっている。このため、表面側シート１２と背面側シート１４とはほぼ全面的に離間した状態となっている。
【００２３】
また、本実施形態では、各突起部３２Ａ、３２Ｂは正面視円形状を採用するとともに、その表面形状は曲面状となるように形成されているが、各突起部３２Ａ、３２Ｂはその表側面が傾斜しており、先端部が先細りに形成されている形状であればよく、特に上述した形状に限られるものではない。
【００２４】
ここで、突起部３２Ａ、３２Ｂの形成方法として、例えば表面側シート１２をプレスにより押し出して形成する方法が適当である。すなわち、シートを型抜きする際に同時にプレスする方法やシートを型から抜いた後にプレスを行い突起部３２Ａ、３２Ｂを形成する方法がある。
また、ＵＶ（紫外線）シルクスクリーン印刷を行うことにより突起部３２Ａ、３２Ｂを形成する方法が適当である。すなわち、表面側シート１２の内側表面にシルクスクリーン印刷用インキを塗り、これに紫外線を照射して硬化させることにより形成する方法がある。
さらに、樹脂性の半球状部材を表面側シート１２の内側表面に接着する方法がある。
【００２５】
次に、本実施形態のホルダー１０の作用及び効果について説明する。
【００２６】
図１乃至図３に示すように、ホルダー１０は、突起部３２Ａ、３２Ｂが背面側シート１４の内側表面と接触しているため、表面側シート１２と背面側シート１４とが離間維持された状態となっている。かかる状態のホルダー１０は、書類Ｐなどの挿入物を表面側シート１２と背面側シート１４との間に挿入するときに、表面側シート１２と背面側シート１４との間を開ける作業が不要となる。これにより、書類Ｐを挿入するときには、ホルダー１０を持つだけの１つの作業で足りる。
【００２７】
ここで、書類Ｐを表面側シート１２と背面側シート１４との間に挿入すると、各突起部３２Ａ、３２Ｂの表面が曲面状に形成されているため、書類Ｐの先端部が各突起部３２Ａ、３２Ｂの表面に接触した場合に書類Ｐの先端部が各突起部３２Ａ、３２Ｂの表面を滑べり、書類Ｐが各突起部３２Ａ、３２Ｂの先端部側にスライドし各突起部３２Ａ、３２Ｂを押し上げるようにしてホルダー１０の内部に円滑に挿入されていく。この結果、書類Ｐが突起部３２Ａ、３２Ｂに引っ掛かることはなく、表面側シート１２と背面側シート１４との間に書類Ｐを容易かつ円滑に挿入することができる。また、表面側シート１２と背面側シート１４との間を開けるために表面側シート１２又は背面側シート１４をめくることがないため、表面側シート１２又は背面側シート１４に折り目等の傷が付くことを防止できる。
【００２８】
また、このホルダー１０は、表面側シート１２の上端部側辺２２と対向辺２６とで形成される角部に切欠き２９が形成されているため、この切欠き２９の分だけ背面側シート１４の内側表面の一部が露出している。これにより、書類Ｐを挿入するときに、切欠き２９が形成されていない背面側シート１４の内側表面に書類Ｐの一部を載せてそのままスライドさせることにより表面側シート１２と背面側シート１４との間に書類Ｐをさらに容易かつ円滑に挿入することができる。
特に、切欠き２９を表面側シート１２の角部に形成することにより、書類Ｐを切欠き２９が形成されていない背面側シート１４の内側表面に載せ易くすることができ、さらに容易に書類Ｐを挿入することができる。
【００２９】
さらに、突起部３２Ａ、３２Ｂを切欠き２９の近傍に設けることにより、書類Ｐを挿入するときに、突起部３２Ａ、３２Ｂが目印となるため、書類Ｐを挿入する入口を瞬時に判別でき、書類Ｐの挿入作業がさらに容易になる。特に、突起部３２Ａ、３２Ｂに各色を付けることにより、突起部３２Ａ、３２Ｂがさらに目立つようになるため、目印としての機能を向上させることができる。
【００３０】
ここで、図４及び図５に示すように、切欠き２９及び各突起部３２Ａ、３２Ｂを設ける替りに、表面側シート１２の上端部側辺２２を内側に折り返して折返片（離間手段）５０を形成し、この折返片５０が背面側シート１４の内側表面と接触することにより、表面側シート１２と背面側シート１４とを離間させてもよい。また、表面側シート１２の角部を内側に折り返して折返片（図示省略）を形成し、背面側シート１４の内側表面に接触させることにより、表面側シート１２と背面側シート１４とを離間させることができるとともに、角部を折り返すことにより角部に切欠き（図示省略）を形成することができる。これらによっても、書類Ｐを挿入し易くすることができる。
【００３１】
ただし、図１及び図２に示すように、突起部３２Ａ、３２Ｂを設けることにより、突起部３２Ａ、３２Ｂを基準として切欠き２９が形成された切欠き端３０側（図１中矢印Ａ方向側）とその反対側（図１中矢印Ｂ方向側）とにおいて表面側シート１２の傾斜角度が略一定となり、表面側シート１２のほぼ全面を背面側シート１４に対して傾斜させることができる。これにより、表面側シート１２の切欠き端３０と背面側シート１４との離間距離をそれ程大きく取らなくても、書類Ｐを容易かつ円滑に挿入することができる。この結果、表面側シート１２の切欠き端３０と背面側シート１４との離間距離を比較的小さくすることが可能となり、ホルダー１０を収納したときに表面側シート１２の切欠き端３０がめくり上がってしまうことを防止することができ、ホルダー１０の破損を防止できる。
【００３２】
なお、上記実施形態のホルダー１０の構成に限られることはなく、例えば、突起部３２Ａ、３２Ｂを３つ以上設けた形態でもよく、逆に１つの突起部３２Ａ、３２Ｂだけを設けた形態でも良い。また、表面側シート１２と背面側シート１４とが離間維持するのであれば、突起部３２Ａ、３２Ｂを設ける位置は切欠き２９の近傍に限られることはない。また、突起部３２Ａ、３２Ｂを表面側シート１２に設けた形態に限られることはなく、背面側シート１４の内側表面に設けた形態でもよく、また、表面側シート１２と背面側シート１４の双方に設けた形態でもよい。さらに、突起部３２Ａ、３２Ｂの正面視形状として、矩形なども適宜採用することができる
【００３３】
【発明の効果】
以上説明した本発明のホルダーにおいては以下の効果を奏する。
請求項１記載の発明は、離間手段により表面側シートと背面側シートとが初めから離間維持されているため、表面側シートと背面側シートとの間を開ける作業が不要となる。これにより、挿入物を挿入するときには、ホルダーを持つだけの１つの作業で足りる。この結果、表面側シートと背面側シートとの間に挿入物を挿入し易くすることができる。また、離間手段を設けているため、表面側シートと背面側シートとの間を開けるために表面側シート又は背面側シートをめくる作業が必要ないため、表面側シートあるいは背面側シートに折り目等の傷が付くことを防止できる。
【００３４】
請求項２記載の発明は、挿入物を挿入するときに、表面側シートと背面側シートとの間を開ける作業が不要となり、挿入物を挿入するときには、ホルダーを持つだけの１つの作業で足りる。この結果、表面側シートと背面側シートとの間に挿入物を挿入し易くすることができる。また、表面側シートと背面側シートとの間を開けるために表面側シート又は背面側シートをめくることがないため、表面側シートあるいは背面側シートに折り目等の傷が付くことを防止できる。
【００３５】
請求項３記載の発明は、ホルダーの隣接する２辺が開放辺とされており、突起部はその開放辺近傍に設けられているため、この突起部を挿入物の挿入時の目印として利用することができる。これにより、挿入物を挿入するときに、挿入物を挿入させる入口を瞬時に判別することができ、さらに容易に挿入物を挿入することができる。
【００３６】
請求項４記載の発明は、挿入物を挿入するときに、切欠きが形成されていない表面側シート又は背面側シートのいずれか一方に挿入物の一部を載せてそのままスライドさせることにより表面側シートと背面側シートとの間に挿入物を容易かつ円滑に挿入することができる。
特に、切欠きを角部に形成することにより、切欠きが形成されていない表面側シート又は背面側シートのいずれか一方に挿入物を載せ易くすることができ、さらに容易に挿入物を挿入することができる。
【００３７】
請求項５記載の発明は、突起部が切欠きの近傍に設けられているため、特に切欠き近傍が大きく離間維持されている。このため、さらに容易かつ円滑に挿入物を挿入することができる。また、突起部が切欠きの近傍に設けられているため、この突起部を挿入物の挿入時の目印として利用することもできる。これにより、切欠きの位置を瞬時に判別することができ、さらに容易に挿入物を挿入することができる。
【００３８】
請求項６記載の発明は、突起部の表面が曲面状に形成されているため、挿入物の端部が突起部の表面に接触した場合に、挿入物の端部が突起部の表面を滑らかに滑ることになる。これにより、挿入物をさらに滑らかに挿入させることができる。
【図面の簡単な説明】
【図１】本発明の実施形態に係るホルダーの平面図である。
【図２】本発明の実施形態に係るホルダーの側面図である。
【図３】本発明の実施形態に係るホルダーに書類を挿入するときの斜視図である。
【図４】本発明の実施形態に係るホルダーの一実施例となるホルダーの平面図である。
【図５】図４に示すホルダーの側面図である。
【図６】従来のホルダーの斜視図である。
【符号の説明】
１０      ホルダー
１２      表面側シート
１４      背面側シート
３２Ａ    突起部（離間手段）
３２Ｂ    突起部（離間手段）
【図１】
2005022337.tif 000003
【図２】
2005022337.tif 000004
【図３】
2005022337.tif 000005
【図４】
2005022337.tif 000006
【図５】
2005022337.tif 000007
【図６】
2005022337.tif 000008